(57)【要約】【課題】小犬が自分の寝場所と排泄場所を区別できて常に所定の排泄場所で排泄できるようにトレーニングすると共に、ペットショップの店員にとってケージ内の清掃が容易で作業時間及び労力の負担が少なくなるようにした小犬販売用ケージを提供する。【解決手段】ペットショップの店内側に面する正面部１と、バックヤード側に面する背面部２と、左右側壁部３，３と、上下壁部４，５とによりケージ本体６を形成すると共に、左右側壁部３，３の中間に仕切り７を開閉可能に設けて、ケージ本体６内を寝床ルーム８とトイレルーム９とに区画形成し、ケージ本体６の正面部１は透視窓とし、背面部２は寝床ルーム側背面部２ａ及びトイレルーム側背面部２ｂの夫々を透視可能で開閉可能とし、常時は小犬Ｐを寝床ルーム８に入れて仕切り７を閉じておき、所定時間毎に仕切り７を開けて小犬Ｐを寝床ルーム８からトイレルーム９に誘導して排泄させるようにする。【選択図】図１
2008278766.tif 000002
【特許請求の範囲】
【請求項１】
ペットショップ内に陳列される小犬販売用ケージであって、ペットショップの店内側に面する正面部と、その反対側のバックヤード側に面する背面部と、左右側壁部と、上下壁部とによってケージ本体を形成すると共に、左右側壁部の中間に仕切りを開閉可能に設けて、ケージ本体内の空間を寝床ルームとトイレルームとに区画形成し、ケージ本体の正面部は透視窓とし、背面部は寝床ルーム側背面部及びトイレルーム側背面部の夫々を透視可能で且つ開閉可能とし、常時は小犬を寝床ルームに入れて仕切りを閉じておき、所定時間毎に仕切りを開けて小犬を寝床ルームからトイレルームに誘導して排泄させるようにしてなる小犬販売用ケージ。
【請求項２】
トイレルームにはトイレシーツをセットしたペットトレーを配置してなる請求項１に記載の小犬販売用ケージ。
【請求項３】
仕切りは、ケージ本体の背面部側から引き出し可能に差し込まれるようになっている差込み式仕切り板からなる請求項１又は２に記載の小犬販売用ケージ。
【請求項４】
前記差込み式仕切り板は、仕切り開放時にケージ本体の背面部側から所定長さ引き出した状態で背面部から突出した部分を背面部に対面するように折り畳み可能としてなる請求項３に記載の小犬販売用ケージ。
【請求項５】
ケージ本体の正面部透視窓は、寝床ルーム側正面部及び又はトイレルーム側正面部を開閉可能としてなる請求項１〜４の何れかに記載の小犬販売用ケージ。
【請求項６】
ケージ本体の正面部透視窓はガラス窓からなる請求項１〜５の何れかに記載の小犬販売用ケージ。
【発明の詳細な説明】
【技術分野】
【０００１】
本発明は、ペットショップの小犬販売コーナーに陳列される小犬販売用ケージに関するもので、自分の寝場所と排泄場所を区別できて常に所定の排泄場所で排泄ができるように基本的なトレーニングを行なわせるようにした小犬販売用ケージに関する。
【背景技術】
【０００２】
従来の小犬販売用ケージとして特許公報等の具体的な公知文献を挙げることはできないが、従来よりペットショップの小犬販売コーナーに陳列されている小犬販売用ケージは、ペットショップ内の顧客通路側に面する正面側の透視窓部と、その反対側のバックヤード側に面する開閉可能な背面側扉と、左右側壁部と、上下壁部とにより構成されるもので、このケージ内のワンルームに小犬を入れておくようになっている。
【発明の開示】
【発明が解決しようとする課題】
【０００３】
犬は、本能的に自分の寝る場所や食事の場所をできるだけ清潔に保とうとし、寝る場所と排泄する場所とを分ける習性を有する。然るに、ケージ内のワンルームに小犬を入れておくようにした従来の小犬販売用ケージによると、寝場所が排泄場所であり、排泄場所が寝場所であることから、小犬は、寝場所と排泄場所との区別がつかなくなると共に、寝場所を汚すことに慣れてしまって、好ましくない習慣を身につけることになる。また排泄場所と寝場所が同じスペースにあることで、ケージ内の小犬の排泄物によって自分の体を汚し易く、ショップ来店客にも不衛生な印象を与えることになる。一方、ペットショップの店員は、頻繁にケージ内を掃除しなければならず、しかもケージ内を掃除する時に店員は、小犬を抱きかかえながらの清掃作業を余儀なくされるため、店員にとって作業時間及び労力ともに大きな負担となっている。
【０００４】
本発明は、上記の課題に鑑み、販売すべき小犬が自分の寝場所と排泄場所を区別できて常に所定の場所で排泄できるようにトレーニングすると共に、ペットショップの店員にとってケージ内の清掃が容易で、作業時間及び労力の負担が少なくなるようにした小犬販売用ケージを提供することを目的とする。
【課題を解決するための手段】
【０００５】
上記課題を解決するための手段を、後述する実施形態の参照符号を付して説明すると、請求項１に係る発明の小犬販売用ケージは、ペットショップ内に陳列される小犬販売用ケージであって、ペットショップの店内側に面する正面部１と、その反対側のバックヤード側に面する背面部２と、左右側壁部３，３と、上下壁部４，５とによってケージ本体６を形成すると共に、左右側壁部３，３の中間に仕切り７を開閉可能に設けて、ケージ本体６内の空間を寝床ルーム８とトイレルーム９とに区画形成し、ケージ本体６の正面部１は透視窓とし、背面部２は寝床ルーム側背面部２ａ及びトイレルーム側背面部２ｂの夫々を透視可能で且つ開閉可能とし、常時は小犬Ｐを寝床ルーム８に入れて仕切り７を閉じておき、所定時間毎に仕切り７を開けて小犬Ｐを寝床ルーム８からトイレルーム９に誘導して排泄させるようにしてなることを特徴とする。ここで、左右側壁部３，３の中間とは、左右両側壁部３，３の間という意味で、仕切り７は、左側壁部３に寄った位置でも、右側壁部３に寄った位置でもよいし、また両側壁部３，３の間の真ん中でもよく、従って寝床ルーム８をトイレルーム９より狭くしてもよいし、それより広くしてもよく、また両ルーム８，９を同じ大きさにしてもよい。
【０００６】
請求項２は、請求項１に記載の小犬販売用ケージにおいて、トイレルーム９にはトイレシーツ１７をセットしたペットトレー１８を配置してなることを特徴とする。
【０００７】
請求項３は、請求項１又は２に記載の小犬販売用ケージにおいて、仕切り７は、ケージ本体６の背面部２側から引き出し可能に差し込まれるようになっている差込み式仕切り板７ａからなることを特徴とする。
【０００８】
請求項４は、請求項３に記載の小犬販売用ケージにおいて、前記差込み式仕切り板７ａは、仕切り開放時にケージ本体６の背面部２側から所定長さ引き出した状態で背面部２から突出した部分を背面部２に対面するように折り畳み可能としてなることを特徴としている。
【０００９】
請求項５は、請求項１〜４の何れかに記載の小犬販売用ケージにおいて、ケージ本体６の正面部透視窓１は、寝床ルーム８側正面部及び又はトイレルーム９側正面部を開閉可能としてなることを特徴とする。
【００１０】
請求項６は、請求項１〜５の何れかに記載の小犬販売用ケージにおいて、ケージ本体６の正面部透視窓１はガラス窓からなることを特徴とする。
【発明の効果】
【００１１】
上記解決手段による発明の効果を、後述する実施形態の参照符号を付して説明すると、請求項１に係る発明の小犬販売用ケージは、ペットショップの店内側に面する正面部１と、バックヤード側に面する背面部２と、左右側壁部３，３と、上下壁部４，５とによってケージ本体６を形成すると共に、左右側壁部３，３の中間に仕切り７を開閉可能に設けてケージ本体６内の空間を寝床ルーム８とトイレルーム９とに区画形成し、ケージ本体６の正面部１は透視窓とし、背面部２は寝床ルーム側背面部２ａ及びトイレルーム側背面部２ｂの夫々を透視可能で開閉可能とし、常時は小犬Ｐを寝床ルーム８に入れて仕切り７を閉じておき、所定時間毎に仕切り７を開けて小犬Ｐを寝床ルーム８からトイレルーム９に誘導して排泄させるようにしたから、このケージを使用することによって、小犬Ｐは、寝床ルーム８とトイレルーム９とを区別できるようになり、従って一般家庭で飼育する場合、決められた場所（トイレ）だけで排泄することができるようになる。このように寝床とトイレとを区別させることができるから、きわめて衛生的な環境を作ることができる。
【００１２】
また、この小犬販売用ケージによれば、ケージの清掃作業の時間管理が容易に行なえ、作業効率が良くなる。即ち、このケージの使用して小犬Ｐをトレーニングすることにより、小犬Ｐごとにバラバラの排泄時間を一定時間内にコントロールすることができ、小犬Ｐの排泄のタイミングを予測した作業スケジュールを組むことによって、ペットショップの店員は、計画的な管理に基づいた清掃作業を推進することができる。そして、小犬Ｐがトイレルーム９で排泄をした後は、再び寝床ルーム８に戻すので、その後のトイレルーム９の清掃が簡単に行なえる。また、トイレルーム９の清掃は小犬Ｐが寝床ルーム８に戻った後に行なえばよいから、トイレルーム９の清掃作業が簡単となる。
【００１３】
請求項２に係る発明のように、トイレルーム９にはトイレシーツ１７をセットしたペットトレー１８を配置した場合は、小犬Ｐが排泄を終えて寝床ルーム８に戻った後、ペットトレー１８をトイレルーム９から取り出し、トイレシーツ１７を新しいものと交換すればよいから、トイレルーム９の清掃を簡単容易に行なうことができると共に、ペットトレー１８の使用により、きわめて衛生的となる。
【００１４】
請求項３に係る発明のように、仕切り７を、ケージ本体６の背面部２側から引き出し可能に差し込まれるようになっている差込み式仕切り板７ａとした場合は、構造が簡単で、開閉操作が容易となる。
【００１５】
請求項４に係る発明によれば、差込み式仕切り板７ａは、仕切り開放時にケージ本体６の背面部２側から所定長さ引き出した状態で背面部２から突出した部分を背面部２に対面するように折り畳み可能となっているから、仕切り開放時に仕切り板７ａの基端側がペットショップ内のバックヤード側に不都合に突出せず、バックヤード側での店員などの作業や往き来の邪魔にならなくなる。
【００１６】
請求項５に係る発明のように、ケージ本体６の正面部透視窓１を、寝床ルーム側正面部及び又はトイレルーム側正面部を開閉可能に構成すれば、ペットショップにおいて、顧客がケージ内の小犬Ｐを触ってみたい場合には、店員は、バックヤード側へ回らなくても、店内側、即ち顧客通路側から直接、ケージ本体６の正面部１を開放してケージ内の小犬Ｐを取り出すことができる。
【００１７】
請求項６に係る発明のように、ケージ本体６の正面部透視窓１は好ましくはガラス窓とするのがよい。
【発明を実施するための最良の形態】
【００１８】
以下に本発明の好適な一実施形態を図面に基づいて説明すると、図１は本発明に係る小犬販売用ケージをペットショップ内のバックヤード側から見た斜視図であり、図２の(a) は同小犬販売用ケージの正面図、(b) は背面図であり、図３の(a) は同小犬販売用ケージの横断平面図で、仕切りが閉じている状態を示し、(b) はペットトレーの斜視図であり、図４は仕切りが開放した状態の小犬販売用ケージの横断平面図であり、図５は(a) はペットショップの小犬販売コーナーに陳列されている小犬販売用ケージＫ群の平面図、(b) は正面図、(c) は側面図である。
【００１９】
本発明に係る小犬販売用ケージＫは、図１に示すように、ペットショップのペットコーナー内の顧客通路側、即ち店内側に面する正面部１と、この正面部１の反対側に位置するバックヤード側に面する背面部２と、左右両側壁部３，３と、上壁部４及び下壁部５とによってケージ本体６を形成すると共に、左右両側壁部３，３の中間に仕切り７を開閉可能に設けて、ケージ本体６内の空間を寝床ルーム８とトイレルーム９とに区画形成したもので、ケージ本体６の正面部１は透視窓とし、背面部２は寝床ルーム側背面部２ａ及びトイレルーム側背面部２ｂの夫々を透視可能にして且つ開閉可能とし、しかして常時は小犬Ｐを寝床ルーム８に入れて仕切り７を閉じておき、所定時間毎に仕切り７を開けて小犬Ｐを寝床ルーム８からトイレルーム９に誘導して排泄させるようにしている。尚、図１では、ケージ本体６の内部構造が分かるように上壁部４を取り外した状態で示している。
【００２０】
上記ケージＫの構造について更に詳しく説明すれば、先ず、正面部１の透視窓は、図１及び図２の(a) に示すように、周枠１ａ内に中桟１ｂを挟んでその両側に窓ガラス１ｃ，１ｃを嵌装して形成されるガラス窓からなる。背面部２の寝床ルーム側背面部２ａ及びトイレルーム側背面部２ｂは夫々、図１、図２の(b)及び図３の(a)  に示すように、背面部２の上下両端部に配設された上下両支持桟１０，１０に支持されて開閉可能な開き扉からなるもので、各開き扉２ａ，２ｂは、周枠１１内に縦格子材１２を一定間隔に配設することにより形成されていて、周枠１１の一側端部１１ａがケージ本体６の側壁部３にヒンジ１４によって枢着され、周枠１１の他端部１１ｂは、図示は省略するが、支持桟１０に対して適宜に施錠されるようになっている。
【００２１】
仕切り７は、図１、図３の(a) 及び図４で分かるように、ケージ本体６の背面部２側から引き出し可能に差し込まれるようになっている差込み式仕切り板７ａからなるもので、この仕切り板７ａは、左右両側壁部３，３の中間に設けられた上下框１３，１３のガイド溝１３ａ，１３ａにスライド可能に嵌合されており、この仕切り板７ａの手前側端部には把手１５が設けてある。尚、左右両側壁部３，３の中間とは、両側壁部３，３の間という意味であって、仕切り７は、左側壁部３に寄った位置でも、右側壁部３に寄った位置でもよいし、また両側壁部３，３の間の真ん中でもよく、従って寝床ルーム８をトイレルーム９より狭く設定しても、それより広く設定してもよく、また両ルーム８，９を同じ大きさに設定してもよく、必要に応じて両側壁部３，３の間の任意の位置に設定することができる。
【００２２】
上記仕切り板７ａは、図１及び図４に示すように、仕切り開放時にケージ本体６の背面部２側から所定長さ（例えば、仕切り７の幅の1/2 程度）引き出した状態で背面部２から突出した部分７ａｏを背面部２に対面するように折り畳み可能となっている。即ち、仕切り板７ａは、背面部２側から所定長さ突出する部分７ａｏを本体部に対しヒンジ１６で枢着して、図１の仮想線図示のように折り畳むことができるようにしている。尚、この実施形態では、仕切り板７ａの突出部分７ａｏを背面部２のトイレルーム側背面部２ｂと対面する方向に折り畳むようにしているが、図１の仮想線図示とは反対側の、寝床ルーム側背面部２ａと対面する方向に折り畳むようにしてもよく、また寝床ルーム側背面部２ａ及びトイレルーム側背面部２ｂの何れの方向にも折り畳み可能としてもよい。
【００２３】
ケージ本体６のトイレルーム９にはトイレシーツ１７をセットしたペットトレー１８が配置されている。このペットトレー１８は、図３の(b) に示すように、トレー本体１８ａ上に吸水性の良好なトイレシーツ１７をセットし、このトイレシーツ１７の上からストッパー枠１８ｂを被せて、両端側２箇所のバックル１８ｃにより留めるようにした周知構造のもので、図１、図３及び図４に示すようにトイレルーム９の床部に嵌まり込むようになっていて、簡単に取り外しできるようになっている。
【００２４】
尚、ケージ本体６の左右各側壁部３、上壁部４及び下壁部５は、木材、プラスチック材、金属材など任意の材料の板材によって形成され、また仕切り板７ａもケージ本体６と同様に任意の材料の板材によって形成される。
【００２５】
次に、上記のように構成される小犬販売用ケージＫの使用によるペットショップ内での小犬Ｐのトレーニング方法について説明する。
【００２６】
先ず、図３に示すように、ケージ本体６の寝床ルーム８とトイレルーム９とを区画する仕切り７を閉めた状態で、小犬Ｐを寝床ルーム８に入れて、一定時間過ごさせ、その間は排泄を我慢させる。尚、小犬Ｐは、行動が制限されるようなある程度狭い環境では排泄を我慢しようとする習性がある。
【００２７】
そして、一定時間毎に図４に示すように仕切り７を開けて小犬Ｐを寝床ルーム８からトイレルーム９に誘導する。この場合の一定時間とは、小犬Ｐの月齢や個体差にもよるが、例えば生後４週齢の小犬Ｐが排泄を我慢できるのは約１時間である。
【００２８】
小犬Ｐがトイレルーム９に入ったならば、仕切り７を閉めて、小犬Ｐがトイレルーム９内のペットトレー１８上で排泄をするまでしばらく待つ。
【００２９】
小犬Ｐが排泄をしたら、ご褒美をあげ、仕切り７を開けて小犬Ｐをトイレルーム９から寝床ルーム８に戻し、仕切り７を閉めて図３の(a) に示す状態とする。このように小犬Ｐが正しい場所で排泄した際、ご褒美をあげることを繰り返すことによって、小犬Ｐはその場所で排泄するとご褒美がもらえることを学習する。
【００３０】
以上のようなトレーニングを繰り返すことにより、小犬Ｐは、寝床ルーム８とトイレルーム９を区別することができるようになって、決められた場所（トイレルーム９）だけで排泄するようになる。
【００３１】
この小犬販売用ケージＫにおいては、寝床ルーム８の清掃は小犬Ｐがトイレルーム９に入っている時に行なえばよく、またトイレルーム９の掃除は小犬Ｐが寝床ルーム８に戻った後に行なえばよいから、各ルーム８，９の清掃作業が簡単にして且つとなる。因みに、従来のケージにあっては、ケージ内を掃除する時に店員は、小犬を抱きかかえながら作業を行なわなければならなかったため、店員にとって作業時間及び労力共に大きな負担となっていた。
【００３２】
トイレルーム９の清掃を行なう場合には、小犬Ｐが排泄を終えて寝床ルーム８に戻った後、トイレルーム側背面部の開き扉２ｂを開けてペットトレー１８をトイレルーム９から取り出し、トイレシーツ１７を新しいものと交換すればよいから、トイレルーム９の清掃を簡単容易に行なうことができる。
【００３３】
また、この小犬販売用ケージＫでは、仕切り７は、ケージ本体６の背面部２側から引き出し可能に差し込まれるようになっている差込み式仕切り板７ａからなるため、開閉操作が簡単容易となる。また、この差込み式仕切り板７ａは、仕切り開放時にケージ本体６の背面部２側から所定長さ引き出した状態で背面部２から突出した部分を背面部２に対面するように折り畳み可能となっているため、仕切り開放時に仕切り板７ａの基端側がペットショップ内のバックヤード側に不都合に突出せず、バックヤード側での店員などの作業や往き来の邪魔にならなくなる。
【００３４】
ケージ本体６の正面部１は、この実施形態に例示したように透視体がガラスであるガラス窓の他に、透視体が透明プラスチック板であるプラスチック製窓でもよい。また、このガラス製又はプラスチック製の正面部１は、寝床ルーム側正面部及びトイレルーム側正面部を双方を開閉可能としてものでもよいし、寝床ルーム側正面部又はトイレルーム側正面部の何れ一方側を開閉可能とし、その他方を開閉不能な固定窓部としてもよい。
【００３５】
また、ケージ本体６の背面部２は、この実施形態では、背面部２の寝床ルーム側背面部２ａとトイレルーム側背面部２ｂを夫々格子状の開き扉からなるものであるが、この寝床ルーム側背面部２ａ及びトイレルーム側背面部２ｂは、ガラス窓あるいはプラスチック製窓あってもよい。
【００３６】
さらに、この実施形態では、トイレルーム９にはトイレシーツ１７をセットしたペットトレー１８を配置しているが、このペットトレー１８の代わりに、新聞紙又はこれに類似するものを使用してもよい。但し、ペットトレー１８は、新聞紙等に比べると、きわめて衛生的である。
【００３７】
さらに、この実施形態では、仕切り７を、ケージ本体６の背面部２側から引き出し可能に差し込まれるようになっている差込み式仕切り板７ａとしているが、この仕切り７は、折り戸や開き戸としてもよい。但し、実施形態のような差込み式仕切り板７ａとすれば、構造が簡単で、開閉操作が容易となる。
【００３８】
図５には、上述した本発明に係る小犬販売用ケージＫを例えば左右一列状で上下２段に積み重ねてペットショップの小犬販売コーナーに陳列した状態の小犬販売用ケージＫ群を示し、(a) は平面図、(b) は正面図、(c) は側面図である。
【図面の簡単な説明】
【００３９】
【図１】本発明に係る小犬販売用ケージをペットショップ内のバックヤード側から見た斜視図である。
【図２】(a) は同小犬販売用ケージの正面図、(b) は背面図である。
【図３】(a) は同小犬販売用ケージの横断平面図で、仕切りが閉じている状態を示し、(b) はペットトレーの斜視図である。
【図４】仕切りが開放した状態の小犬販売用ケージの横断平面図である。
【図５】図５は(a) はペットショップの小犬販売コーナーに陳列されている小犬販売用ケージＫ群の平面図、(b) は正面図、(c) は側面図である。
【符号の説明】
【００４０】
１            正面部
２            背面部
３            側壁部
４            上壁部
５            下壁部
６            ケージ本体
７            仕切り
７ａ          仕切り板
８            寝床ルーム
９            トイレルーム
１７          トイレシート
１８          ペットトレー
【図１】
2008278766.tif 000003
【図２】
2008278766.tif 000004
【図３】
2008278766.tif 000005
【図４】
2008278766.tif 000006
【図５】
2008278766.tif 000007